(57)【要約】【課題】紙媒体である従来の譜面や書籍、および従来の譜面台様式とを踏襲し、任意で確実な頁の送り戻しが演奏者自身の手を使わずとも自動にでき、しかも、従来にはない多様化のある、頁捲り装置及び譜面台、または書見台を提供するものである。【解決手段】従来の譜面等を譜面台に載置し、任意の頁をクリップ等にて挟み、フットペダルの踏動にて駆動軸を左右に回動させるだけで、本頁捲り機構によって、譜面頁の送りや戻しが自動で捲られ、演奏者は手を使わず演奏に集中できる。また、当該譜面台の多様化における実施例は、譜面台の使用場所を限定せず、またフットスイッチ仕様を使用することにより、当該譜面台の複数台同時動作や、遠隔操作も可能とする。【選択図】図１
2010247531.tif 000002
【特許請求の範囲】
【請求項１】
ペダルワイヤーで回動する回転体（６０）と、この回転体（６０）を復帰させるバネと、背中合わせに段違いで対設固着された突出係合部のレバーＡ（５１）とレバーＢ（５２）を有する駆動軸（５０）と、同心円上で半径の異なる半円空洞同士が相対向した空洞の構造を有する円筒、及びこの円筒外周にあって枢軸線方向にある直方体凸部上端が斜面である摺動凸設Ｂ（３１）を有する送り回転子（３０）と、この送り回転子（３０）を倒置した同一構造である摺動凸設Ａ（２１）を有する戻し回転子（２０）と、これら頁送り、頁戻し回転子の回動を復帰させる回転子バネ（４０）と、円筒体で、この円筒体の表(上面)には螺旋状斜面Ａ（１２）と、裏（下面）にはこの斜面Ａ（１２）と対称な同螺旋状斜面Ｂ（１３）を有し、及びこの螺旋状斜面Ａ，Ｂの非連続箇所に所定の間隙スリット（１４）と頁把持部を有したページ捲り回転子（１０）とを具備し、
前記駆動軸（５０）が頁送りへ回動したとき、この駆動軸（５０）に有する突出係合部の前記レバーＢ（５２）が前記送り回転子（３０）を回動させ、この送り回転子（３０）の回動により、頁把持部を有した前記ページ捲り回転子（１０）を頁送りへ回動させ、
そして、前記送り回転子（３０）が回動した後、前記回転子バネ（４０）の弾発力によって、この送り回転子（３０）に有する前記摺動凸設B（３１）が、前記螺旋状斜面Ｂ（１３）を、復帰摺動しながら、次頁に位置するページ捲り回転子（１０）内の前記所定の間隙スリット（１４）内に自動にて移行し、次頁捲りの待機状態となり、
次に前記駆動軸（５０）が逆回動（頁戻し）したとき、この駆動軸（５０）に有する突出係合部の前記レバーＡ（５１）が前期戻し回転子（２０）を回動させ、この戻し回転子（２０）の回動により、頁把持部を有した前記ページ捲り回転子（１０）を頁戻しへ回動させ、
そして、前記戻し回転子（２０）が回動した後、前記回転子バネ（４０）の弾発力によって、この戻し回転子（２０）に有する前記摺動凸設Ａ（２１）が、前記螺旋状斜面Ａ（１２）を、復帰摺動しながら、次頁に位置するページ捲り回転子（１０）内の前記所定間隙スリット（１４）内に自動にて移行し、次頁捲りの待機状態になる、ページ捲り装置。
【請求項２】
請求項１記載の回転体（６０）を回動させるペダルワイヤー部において、このペダルワイヤー部に代えて、前記回転体（６０）を回動させるモーターと、このモーターの駆動制御部と電源部と、前記モーターを駆動指示する有線仕様スイッチとを具設し、
前記モーター駆動制御部と前記有線仕様スイッチとを有線接続することにより、前記モーターを回動させ、請求項１に記載のページ捲り装置を単独稼動または複数台同時稼動できるページ捲り装置。
【請求項３】
請求項１記載の回転体（６０）を回動させるペダルワイヤー部において、このペダルワイヤー部に代えて、前記回転体（６０）を回動させるモーターと、このモーターの駆動制御部と、電源部と、無線方式受信部と、無線方式仕様スイッチを具設し、
前記無線方式受信部と、前記無線方式仕様スイッチとが無線方式伝送することにより、前記モーターを回動させ、請求項１に記載のページ捲り装置を単独稼動または複数台同時稼動できるページ捲り装置。
【請求項４】
請求項１〜３のいずれか１項に記載のページ捲り装置と、譜面台本体（１）とが一体となったページ捲り譜面台。
【発明の詳細な説明】
【技術分野】
【０００１】
本発明は手を使わずとも、自在に従来譜面や書籍の頁送りと戻しを可能にする機構を備えた、ページ捲り装置及び譜面台に関するものである。
【背景技術】
【０００２】
譜面使用時の楽器演奏中にて、演奏中の楽譜頁が次の裏頁にまたがっている場合で、このとき演奏にて演奏者の両手が塞がっている時、演奏を瞬時中断し、手で素早く頁を捲らねばならない。これは曲の流れも中断するため、演奏として障害となる。
また、楽曲の演奏によっては譜面頁を順次捲るだけでなく、リピートなど曲の繰り返しのため譜面頁を戻すなど、演奏中の頁捲り操作は真に煩わしいものであり、また、譜面だけでなく書籍などにおいても両手が使えない場合も同様である。
【０００３】
従来の手を使わない譜面捲りや書籍捲り装置の発明案には、ペダルを使用するなど楽譜や書籍を捲る手段があるが、楽譜そのものを電子化する方式（特許文献１）、小型モーター制御にてクラッチ機構による頁を捲るもの（特許文献２）、モーター制御にてアーム棒や、磁石を使用したもの（特許文献３、４）、空気吸引方式（特許文献５）等など多数ある。
【先行技術文献】
【特許文献】
【０００４】
【特許文献１】特許公開平０９−０３４４４６
【特許文献２】特許公開平０８―２４１０７６
【特許文献３】特許公開平０８−３２４１５７
【特許文献４】特許公開平０９−１９３５６７
【特許文献５】特許公開平０７−０１７１５９
【発明の概要】
【発明が解決しようとする課題】
【０００５】
上記従来の発明案において、電子式は、従来の出版本等の譜面を電子化への変換装置が必要であり一般的ではなく、また、モーター制御方式や、其他の案も、頁送りのみであったり、また、頁の送りや戻しの構造上の信頼性や、複雑さなど実用化の点で難しい。
【０００６】
よって、本発明は紙媒体である従来の譜面と従来の譜面台様式とを踏襲し、ペダルによって、駆動軸を左右に回動させるだけで、複数の頁送り戻しが、任意で確実に演奏者自身の手を使わずとも自動にできる実用化の高い装置、及び譜面台、または書見台としても利用できるものを提供するものである。
【課題を解決するための手段】
【０００７】
本発明は上記課題を解決するため、第一の解決手段は、ペダルワイヤーで回動する回転体６０と、この回転体６０を復帰させるバネと、背中合わせに段違いで対設固着された突出係合部のレバーＡ５１とレバーＢ５２を有する駆動軸５０と、同心円上で半径の異なる半円空洞同士が相対向した空洞の構造を有する円筒、及びこの円筒外周にあって枢軸線方向にある直方体凸部上端が斜面である摺動凸設Ｂ３１を有する送り回転子３０と、この送り回転子３０を倒置した同一構造である摺動凸設Ａ２１を有する戻し回転子２０と、これら頁送り、頁戻し回転子の回動を復帰させる回転子バネ４０と、円筒体で、この円筒体の表(上面)には螺旋状斜面Ａ１２と、裏（下面）にはこの斜面Ａ１２と対称に同螺旋状斜面Ｂ１３を有し、及びこの螺旋状斜面Ａ，Ｂの非連続箇所に所定の間隙スリット１４と頁把持部を有したページ捲り回転子１０とを具備し、
前記駆動軸５０が頁送りへ回動したとき、この駆動軸５０に有する突出係合部の前記レバーＢ５２が前記送り回転子３０を回動させ、この送り回転子３０の回動により、頁把持部を有した前記ページ捲り回転子１０を頁送りへ回動させ、
そして、前記送り回転子３０が回動した後、前記回転子バネ４０の復帰弾発力によって、この送り回転子３０に有する前記摺動凸設B３１が、前記螺旋状斜面Ｂ１３を、復帰摺動しながら、次頁に位置するページ捲り回転子１０内の所定の間隙スリット１４内に自動にて移行し、次頁捲り（頁送り、あるいは頁戻し）の待機状態となる。
次に前記駆動軸５０が逆回動（頁戻し）したとき、同駆動軸５０に有する突出係合部の前記レバーＡ５１が前期戻し回転子２０を回動させ、この戻し回転子２０の回動により、頁把持部を有した前記ページ捲り回転子１０を頁戻しへ回動させ、
そして、前記戻し回転子２０が回動した後、前記回転子バネ４０の復帰弾発力によって、この戻し回転子２０に有する前記摺動凸設Ａ２１が、前記螺旋状斜面Ａ１２を、復帰摺動しながら、次頁に位置するページ捲り回転子１０内の所定間隙スリット１４内に自動にて移行し、次頁捲り（頁送り、あるいは頁戻し）の待機状態になる。
以上の構成により頁の送りと、戻しが手を使わずとも動作自在にできるページ捲り装置である。
【０００８】
また、第二の解決手段として、上記第一の解決手段記載の回転体６０を回動させるペダルワイヤー部において、このペダルワイヤー部に代えて、前記回転体６０を回動させるモーター１６０と、このモーターの駆動制御部と、電源部と、前記モーターを駆動指示する有線方式フットスイッチ１５０とを具設し、
前記モーター駆動制御部と前記有線方式フットスイッチとを有線接続することにより、前記モーター１６０を回動させ、上記第一の解決手段に記載のページ捲り装置を単独稼動または複数台同時稼動できるページ捲り装置である。
【０００９】
また、第三の解決手段として、第一の解決手段である回転体６０を回動させるペダルワイヤー部において、このペダルワイヤー部に代えて、前記回転体６０を回動させるモーター１６０と、このモーターの駆動制御部と、電源部と、無線方式受信部と、無線方式仕様スイッチ１５０Ａを具設し、
前記無線方式受信部と、前記無線方式仕様スイッチとが無線方式伝送することにより、前記モーター１６０を回動させ、上記第一の解決手段に記載のページ捲り装置を単独稼動または複数台同時稼動できるページ捲り装置である。
【００１０】
また、上記解決手段とした本ページ捲り装置と、譜面台本体１とが一体となり、譜面台脚２と着脱可能なページ捲り譜面台である。
【発明の効果】
【００１１】
本発明のページ捲り装置は、両手を使わずとも、従来の譜面または書籍をペダル踏動のワイヤー牽引により、前記の譜面、または書籍頁の送りと戻しの回動を自在に行える。然るに、この本発明の内部構造は、駆動軸を、上記ペダル踏動により左右に回動させるだけで、あとはバネの弾発力で構成部品を作動させるため、構造と形状が単純であり、頁捲り作動の確実性と実用化が提供できる。
【００１２】
また、別案として、上記ペダル部のワイヤー牽引に代えて、小型モーター具備へ変更することによって、上記ワイヤーが不要になり、電気有線のフットスイッチ方式に変えられる。また、他の譜面台同士間に前記フットスイッチ方式の有線配線することにより、複数の譜面台を同時に操作できる。        
【００１３】
また、上記有線のフットスイッチを無線方式化仕様にすれば、更に譜面台の多機能化が広がり、譜面台の遠隔操作も可能である。また、これら有線、無線方式のフットスイッチ化は、複数の譜面台において、同じパート演奏の場合、譜面を各自捲る事なく、一人が前記フットスイッチ操作すれば、複数の譜面台同時捲りが可能になり、また無線方式仕様においては、ピアノ演奏時など、遠隔操作にてスイッチ操作すれば、ピアノ近傍にて頁を捲る助手も不要である。
【００１４】
また本発明の、ページ捲り譜面台を譜面台脚２から外す事により、前記譜面台の設置場所は限定されず、鍵盤楽器等、任意の場所に載置可能である。
【００１５】
また、本発明の実用化において、上記ペダル方式でもスイッチ方式でも回動内部構造は共通であるため、前記両方式の製造での製品仕様変更は、筐体変更なしで容易にできる利点がある。
【図面の簡単な説明】
【００１６】
【図１】本発明の実施形態１を表わす斜視図。
【図２】（ａ）本発明の実施形態２を表わす斜視図。  （ｂ）同実施形態３の有線仕様による複数台の操作を表わす斜視図。    （ｃ）同実施形態４の無線方式仕様による複数台の操作を表わす斜視図。
【図３】（ａ）同実施形態５の鍵盤楽器に当該装置の正置載置を表わす斜視図。    （ｂ）同実施形態５の鍵盤楽器に当該装置の倒置載置を表わす斜視図。
【図４】（ａ）当該装置の「頁捲り回転子」を表わす斜視図。  （ｂ）当該装置の「ページ捲り回転子」の内部断面図。
【図５】（ａ）当該装置のページ捲り部の構成を表わす斜視図。    （ｂ）当該装置の「ページ捲り上部」を表わす図及び内部断面図。    （ｃ）当該装置の「ページ捲り下部」を表わす図及び内部断面図。
【図６】（ａ）当該装置の「送り、戻し回転子」部の組立を表わす斜視図。              （ａ−１）同「回転子」部の摺動凸設部の別実施例形状をあらわす斜視図。              （ｂ）当該装置の「送り、戻し回転子」部及び「駆動軸」の構成を表わす斜視図。
【図７】（ａ）当該装置の「 ページ捲り回転子」と、「送り、戻し回転子」部の係合状態を表わす斜視図。    （ｂ）同「ページ捲り回転子」と、「送り、戻し回転子」部の係合状態を表わす内部断面図。
【図８】当該装置の「回転体」部と「駆動軸」部との構成を表わす斜視図。
【図９】（ａ）当該装置の駆動ボックス内を表わす内部構成図。    （ｂ）同駆動ボックス内の「回転体」を表わす内部構成図。    （ｃ）同駆動ボックス内の「回転体」を表わす内部断面図。
【図１０】(ａ) 当該装置のペダル部構成を表わす斜視図。    （ｂ）同「ペダル回転プレート」内部を表わす断面図。
【図１１】当該装置の「クリップ」部の実施形態を表わす構成図。
【図１２】(ａ) 当該装置の譜面台正置固定における実施形態の「スライド方式」載置を表わす斜視図。    （ｂ）当該装置の譜面台倒置固定における実施形態の「スライド方式」載置を表わす斜視図。    （ａ−１）当該装置の譜面台正置固定における実施形態の「開閉方式」載置を表わす斜視図。    （ｂ−１）当該装置の譜面台倒置固定における実施形態の「開閉方式」載置を表わす斜視図。
【図１３】実施形態２の駆動ボックス内を表わす構成図。
【図１４】同実施形態２の作動ブロック図。
【図１５】本発明の頁送りの作動原理説明図（原理図１）。
【図１６】本発明の頁戻しの作動原理説明図（原理図２）。
【図１７】(ａ−１)実際のページ捲り回転子回動前の状態。    (ａ−２)同回動後の状態。  (ｂ−１)原理説明上のページ捲り回転子の斜面Ａ、Ｂ。    (ｂ−２)実際のページ捲り回転子の斜面Ａ、Ｂ。
【図１８】(ａ) ページ捲り回転子にページ固定カムを有した斜視図。  (ｂ) ページ固定カムと、板バネの構成を表す斜視図。  (ａ−１)ページ捲り回転子の回動前のバネ板方式による固定状態。  (ａ−２) ページ捲り回転子の回動中によるバネ板の状態。  (ａ−３) ページ捲り回転子の回動後のバネ板方式による固定状態。
【図１９】(ａ−１) ページ捲り回転子の回動前のボール部方式による固定状態。  (ａ−２) ページ捲り回転子の回動中によるボール部の状態。  (ａ−３)  ページ捲り回転子の回動後のボール部方式による固定状態。
【発明を実施するための形態】
【００１７】
以下上記動作可能になせる各部品の構造説明、次に詳細作動原理、次に全ての一連概略動作である実施例を各図と共に説明する。
【実施例１】
【００１８】
各部品の構造であるが、まず直接頁の送り戻しをおこなうページ捲り回転子１０の構造を説明する。
図４（ａ）（ｂ）の如く、円柱形状で中心部が中空な円環状であり、この円環外周の一端にアーム固定部１６が固着され、また、図４（ｂ）の如く、この円環表面（上側）の半円上に螺旋状の斜面Ａ１２（断面Ａ−Ａ参照）と、同円環状裏面に、この斜面Ａ１２とは反対側半円上の下側に同様なる螺旋状の斜面Ｂ１３（断面Ｂ−Ｂ参照）とを有し、また斜面Ａ１２と斜面Ｂ１３の非連続間に所定間隔スリット１４を有する。このような斜面Ａ１２,斜面Ｂ１３と所定間隔スリット１４を有するページ捲り回転子１０は表裏同一な形状である。
【００１９】
また上記ページ捲り回転子１０(１０Ａ，１０Ｂ，１０Ｃも同形)は図５（ａ）の如く、１頁につき１つで、２頁目ならその下方に配置され、以下同様に希望頁分があればページ捲り回転子保持具１９をスライド延長させ、順次追加配置できる仕様である。尚、当該ページ捲り回転子１０に装着されるページアーム１５は図４（a）の如くアーム固定部１６に、例えば固定ネジ１６Ａなどで簡単な着脱可能にし、ページアーム１５が不要な時は外して使用できる。
【００２０】
次に図５のページ捲り回転子１０Ａの最上部であるページ捲り上部１１Ａの構造は、図５（ｂ）の如く斜面Ｂ１３（下面）のみのを有し、左回転（反時計回り、以下同じ）係止用の回転ストッパーＡ１８Ａが凸設してある。また、最下部であるページ捲り下部１１Ｂの構造は同図５（ｃ）の如く斜面Ａ１２（上側）のみを有し、右回転係止用の回転ストッパーＢ１８Ｂが凸設してある。またページ捲り上部１１Ａ、同下部１１Ｂは最上部と最下部に位置するため、下記回転子２０、３０の各々格納部となる。よって、アーム固定部１６等は具設不要である。また、これらページ捲り上部１１Ａ及びページ捲り下部１１Ｂは倒置した対面配置であって、同一形状である。
【００２１】
次に図６（ａ）の送り回転子３０と戻し回転子２０の構造を説明する。
これらは上記ページ捲り回転子１０を直接内部から回動させるための部品であり、先ず送り回転子３０の構造は図６（ａ）（ｂ）、図１５原理図の送り回転子３０の如く、円筒外周に摺動凸設Ｂ３１と、同心円上で半径の異なった半円同士が相対向した空洞を有した構造である。また、この摺動凸設Ｂ３１の形状は図６の如く直方体上部先端部の右上を斜面とした構造である。
【００２２】
尚、図６(ａ−１)は別案として摺動凸設Ｂ３１の摺動性や耐久性を高める為に、同先端部の斜面部の変わりに、例えばミニローラーを有した場合の図である（下記摺動凸設Ａ２１も同じ）。
【００２３】
次に戻し回転子２０の構造は、上記送り回転子３０と形状は同一である。しかし、後述の駆動軸５０に取り付けた状態では、図６（ａ）の如く上に戻し回転子２０、下に送り回転子３０が配置され、構造的に下の送り回転子３０を倒置させたものが戻し回転子２０となる。つまり、必然的に当該摺動凸設Ａ２１の形状は下部先端部の左下が斜面となる。
【００２４】
また、戻し回転子２０と送り回転子３０間には図６（ａ）（ｂ）の如く後述の回転子バネ４０が装着されるが、当バネの外周が上記回転子周縁よりはみ出さない為の溝として上記回転子には凹み段部を設けている。（図６（ｂ）図７（ｂ）参照）
【００２５】
また、上記戻し回転子２０と、送り回転子３０には、後述の駆動軸５０が軸通され回動するが、このとき同回転子２０、３０は前述の同心円上に半径の異なった半円同士の空洞形状であるため、回転ブレ止めとして、戻し回転子２０の上蓋として回転子上部蓋２２Ａ、送り回転子３０の下蓋として回転子下部蓋２２Ｂが、図６（ｂ）図７（ｂ）の如く駆動軸５０の貫入用の穴が設けてあり各々着接されている。
【００２６】
また、上記回転子上部蓋２２Ａの上側、及び回転子下部蓋２２Ｂの下側には、図６（ｂ）図７（ｂ）の如く止め輪Ａ５４Ａ、止め輪Ｂ５４Ｂが駆動軸５０に各々挟込され、戻し回転子２０と送り回転子３０が各々左右に回動しても上下に分離はしない。
【００２７】
尚、図５（ａ）、図７（ｂ）のスペーサーＡ３３、スペーサーＢ３４は上記送り回転子２０、戻し回転子３０と同径であり、これら回転子２０，３０が駆動軸５０と共に上記ページ捲り回転子１０内を上下に軸通移動しても、当該スペーサーＡ，Ｂが常時、ページ捲り回転子１０内に同じく軸通移動されるため、ページ捲り回転子１０及びページ捲り上部１１Ａ、同下部１１Ｂが脱落することなく常に保持される。
【００２８】
次に回転子バネ４０は図６（ａ）（ｂ）、図７（ｂ）の如く戻し回転子２０と送り回転子３０間に挟装し、摺動凸設Ａ２１と摺動凸設Ｂ３１に係止され、図６（ａ）、図７（ａ）の如く定置状態（待機状態）では戻し回転子２０と送り回転子３０とが上下背中合わせに対設の状態で位置している。
【００２９】
次に駆動軸５０の構造を説明する。
上記、送り回転子３０と戻し回転子２０を回動させる駆動軸５０であるが、図６（ｂ）、図７（ｂ）の如く当該駆動軸５０にはレバーＡ５１とレバーＢ５２が、上下位置をずらした背中合わせの対設形状で凸設固着してある。また、同駆動軸５０の他端上方に、下記回転体６０と軸通係合する駆動軸リブ５３が凸設固着されている。
【００３０】
次に回転体６０の構造を説明する。
回転体６０は、図８の如く、開口孔のある保持板Ａ７１、保持板Ｂ７２に、回転可能に両端が貫通保持され、また当該回転体６０の中心には上記駆動軸５０及び駆動軸リブ５３とが容易に上下摺動する開口孔を有す。
【００３１】
また、回転体６０には図９（ｂ）（ｃ）の如く回転体バネＡ６３Ａ, 回転体バネＢ６３Ｂが装着されるが、前記回転体バネＡ６３Ａの反動係止として、回転体６０側にはバネ止めＡ６５と、保持版Ａ７１側にはバネ止めａ６７を設け、回転体バネＢ６３Ｂの反動係止として、回転体６０側にはバネ止めＢ６６と、保持版Ｂ７２側にはバネ止めｂ６８を設け，回転体バネＡ、Ｂが各々係止される。
【００３２】
次に送りワイヤー８１、戻しワイヤー８２の構造を説明する。
図８、図９（a）の如く、上記回転体６０を回動させるための、インナーワイヤー（被覆内摺動ワイヤー）構造の送りワイヤー８１、戻しワイヤー８２を図９（a）（ｂ）の如く同回転体６０に巻架し、ワイヤー止めＡ６１（送りワイヤー８１の止め用）、ワイヤー止めＢ６２（戻しワイヤー８２の止め用）にて回転体６０に関着させる。
【００３３】
次に、ペダル部８０の構造を説明する。
図１０（a）の如く、足元近傍に置かれたペダル部ボックス１００内のペダル回転プレート９０に、図１０（ｂ）の如く送りワイヤー８１、戻しワイヤー８２が巻架、関着され、ペダル軸１１０が当該ペダル回転プレート９０に軸通固着されている。ペダル軸１１０には、送りペダル１２０と、戻しペダル１２１がペダル軸１１０に固着されており、またペダル軸１１０に固着されたバネレバー１０２に掛止されたペダルバネ１０１によって、ペダル踏動による同ペダルと回転プレート９０の復帰を行う。
【００３４】
以上の部品構成から頁が送り戻しされる主要部分の詳細作動原理を以下説明する。
先ず準備として譜面を図１の如く譜面台本体１に載置し、演奏する譜面の各頁を、図１１の如くページアーム１５の先端部に装着されたページクリップ１７に順次挟着し、譜面準備する。以下順を追って説明するため、最初の１頁目から順送りされる作動を、各図及び図１５の作動原理図１をもって説明する。
【００３５】
上記譜面準備完了後、図１、図１０の送りペダル１２０を一回踏動すると、ペダル回転プレート９０が、右回転（図１０（ｂ）の実線矢印方向）し、ペダルの踏み代分による送りワイヤー８１が牽引され、譜面台本体１に装着されている図９（ｃ）の駆動ボックス７０内の回転体６０が左へ（譜面台下から見て反時計回り、以下同じ）半回転牽引される。（図９（ｃ）図中の実線矢印方向）
【００３６】
因みに、この回転体６０の半回転が頁を捲る回転となるため、この回転体６０の径と図１０のペダル回転プレート９０の径の関係でワイヤーの引き分であるペダルの踏み代が設定されるため、ペダル踏み代を少なくし操作性をよくする為には、ペダル回転プレート９０の径は回転体６０より大きくとる必要がある。
【００３７】
上記図９（ｃ）の回転体６０が左へ半回転（実線方向）すると、同回転体６０に軸通されている駆動軸５０が、同駆動軸５０上部に固着されている駆動軸リブ５３によって同じく左へ半回転され、図６（ｂ）の同駆動軸５０の下部に固着されているレバーＡ５１、レバーＢ５２も同じく左へ半回転される。
【００３８】
上記レバーＡ５１, レバーＢ５２が左半回転すると、図６（ａ）の駆動軸５０に軸通係合されている送り回転子３０が上記レバーＢ５２により同じく左へ半回転されるが、これに対し上に位置する戻し回転子２０は、前述部品構成の如く同心円上に半径の異なった半円同士の空洞を有するため、レバーＡ５１が同方向の左へ半回転しても大きい半円空洞側内のため、同レバーＡ５１は空転し、戻し回転子２０は回転しない。（後述の図１５作動原理図１のステップ２，３の（Ｂ）項記載）
【００３９】
そして上記送り回転子３０が左へ半回転する時、図６（a）の同送り回転子３０の摺動凸設Ｂ３１の下部（傾斜無し部）が、図４（ｂ）のページ捲り回転子１０Ａ内に有するスリット１４部の螺旋状斜面Ａ１２の斜面鋭角の始まり（エッジ）係合して（図７(ａ)参照）同ページ捲り回転子１０Ａを左へ半回転させ（図７（ａ）の実線方向）、１頁が送られる。（後述の図１５作動原理図１ステップ１から３記載）
【００４０】
次に上記、１頁が送られた後、図１０の送りペダル１２０から足を踏動開放すると、ペダルバネ１０１の弾発力によって同ペダル１２０とペダル回転プレート９０が定置復帰し、これにより送りワイヤー８１が復帰する。（図１０（ｂ）の破線矢印方向）
【００４１】
同時に、図９の回転体６０も上記ワイヤー復帰作動と共に、回転体バネＡ６３Ａの弾発力により回転体６０が右へ半回転し復帰する。（図９（ｃ）破線矢印方向）
【００４２】
上記回転体６０の回転復帰によって駆動軸５０も同様に右へ半回転復帰する。この時、同時に送り回転子３０は、図６（a）の回転子バネ４０の弾発力によって同駆動軸５０の回転復帰に追動し同右へ半回転し復帰するが、同時に図４（a）のページ捲り回転子１０Ａ内の螺旋状の斜面Ｂ１３（裏面）を、図６（ａ）の摺動凸設Ｂ３１の上部（傾斜有り部）が摺接下降移動（図７（ａ）破線矢印方向）しながら半回転し、（後述、図１５の作動原理図１のステップ４）復帰完了時は下方にある次のページ捲り回転子１０Ｂ内に定置（図４（ｂ）スリット１４内）され、次の頁捲りのスタンバイ状態となり、以降同様に送りペダル１２０を踏動するごとにページが送られていく。（後述、図１５の作動原理図１ステップ５記載）
【００４３】
尚、この時上記の送り回転子３０の摺動凸設Ｂ３１が、ページ捲り回転子１０Ａ内の斜面Ｂ１３に沿って下方へ自動的に螺旋摺動するのは回転子バネ４０の弾発力によるものであるが、このバネの他端係止（反動係止）となるものは、前記送り回転子３０上部に位置する戻し回転子２０の摺動凸設Ａ２１が下記の理由によって、係止されて、この戻し回転子２０の回転係止がされることによる。つまり、図５（ａ）の最初のページ捲り回転子１０Ａの送りの場合にあっては、直上部のページ捲り上部１１Ａの図５（ｂ）のスリット１４内に上記摺動凸設Ａ２１が位置し、回転ストッパーＡ１８Ａにて左回転が係止され、バネの反動係止がされ、上記摺動凸設Ｂ３１が回転子バネ４０の弾発力より自動的に下方へ（ページ捲り回転子１０Ａから１０Ｂへ）螺旋摺動していく。（摺動凸設Ａ２１はそのまま垂直にページ捲り上部１１Ａから下位のページ捲り回転子１０Ａへ下降）
【００４４】
次，２頁目（ページ捲り回転子１０Ｂ）以降のバネ反動係止は、このページ捲り回転子１０Ｂ上部に位置する摺動凸設Ａ２１（ページ捲り回転子１０Ａ内）によってバネ反動係止がされるが、前記ページ捲り回転子１０Ｂの上部に、前記１頁目のページ捲り回転子１０Ａの斜面Ａ１２の斜面鋭角の始まり（エッジ）が存在するため、上記ページ捲り上部１１Ａのように摺動凸設Ａ２１が係止されず、何故なら前記ページ捲り回転子１０Ａの斜面Ａ１２に摺動凸設Ａ２１の下方の斜面がこのエッジ乗り上げる形になる。（参考説明として図７（a）破線矢印方向、但し図を倒置する）しかし、同摺動凸設Ａ２１の上端（傾斜無し部）が、さらに真上に位置するページ捲り上部１１Ａの斜面Ｂ１３側の対面にある平面側（図５(ｂ)参照）に当接し係止され反動係止となる。以下同様に摺動凸設Ａ２１の上部に位置するページ捲り回転子１０Ｂ、１０Ｃの各斜面Ｂの裏面平面によって係止され反動係止され、そして頁が送られた後、送り回転子３０と戻し回転子２０が順次下方へ自動的に摺動する。
【００４５】
次に頁捲り最終の最下部である図５（ｃ）のページ捲り下部１１Ｂの動作であるが、斜面Ｂ１３（下面）を有しないため、送りペダル１２０を踏動しても、送り回転子３０は下方へ摺動せず、当該ページ捲り下部１１Ｂを左回転させるが再び戻り空転するのみである。
【００４６】
尚、図５（ｂ）（ｃ）の、ページ捲り上部１１Ａ、同下部１１Ｂの形状は同一であるが、配置として図５（ａ）の如く対面の配置である。
【００４７】
また、補足説明として、頁送り直後、この摺動凸設Ｂ３１が回転子バネ４０の弾発力によって、次のページ捲り回転子１０の左下へ、螺旋摺動移動可能なのは、頁送りされた直後、この摺動凸設Ｂ３１と同位置にあるページ捲り回転子１０Ａの、斜面Ｂ１３（下面）と、下部に位置するページ捲り回転子１０Ｂの、斜面Ａ１２（上面）との間に間隙（摺動凸設部と同寸）が生じる。この間隙内を摺動凸設Ｂ３１が螺旋摺接下降しながら次の下部に位置するページ捲り回転子１０Ｂ内へ下降できる構造である。（後述、図１５の作動原理図１ステップ４の（Ｄ）ページ捲り内部状態に記載）
【００４８】
また、この時の駆動軸５０の動きであるが、上記摺動凸設Ｂ３１により、送り回転子３０が螺旋摺動移動(下降)するが、図７（ｂ）の如く両端に止め輪Ａ５４Ａ、止め輪Ｂ５４Ｂが挟込されているため駆動軸５０も共に下へ移動する。また、図８、９の駆動軸５０の他端上方にも固着されている駆動軸リブ５３も同様に、回転体６０の遊貫孔を下へ、ページ捲り回転子１０一つ分摺動移動する。
以上送りペダル１２０を踏動する事により、順次頁送りがされる。
【００４９】
次に図１５の作動原理図１の概略説明を行う。
図は頁送り動作の原理図であり、説明上、図では１頁（ページ捲り回転子１０Ａ）までの捲り構造図とする。
図項目の（Ａ）は送り回転子３０と駆動軸５０の状態と、（Ｂ）は戻し回転子２０と同駆動軸５０の状態と、（Ｃ）はページ捲り回転子１０の状態を表わし、（Ｄ）はこれらの係合状態を表わすページ捲り内部状態である。尚、上記項目（Ａ）（Ｂ）（Ｃ）は譜面台下方から見た図とし、（Ｄ）のページ捲り内部状態図は各作動理解上、譜面台裏面側から見た図とする。
【００５０】
ステップ１は、初期待機状態である。
【００５１】
ステップ２は、上記待機状態から送りペダル１２０が半分踏動されている時であり、１頁送り途中の経過状態図である。駆動軸５０が１／４左回転（反時計回り以下同）し、それにより（Ａ）の送り回転子３０による（Ｃ）のページ捲り回転子１０Ａも１／４回転している。（レバーＡ５１、レバーＢ５２は駆動軸５０に固着のため同一回転中）
【００５２】
ステップ３は、上記送りペダル１２０の踏動が完了し駆動軸５０が初期状態から１／２左回転を完了し、送り回転子３０による（Ｃ）ページ捲り回転子１０Ａが１頁送りを完了した状態図である。尚、（Ｂ）の戻し回転子２０は図の如くレバーＡ５１の空転のため不回転であることに注意。
【００５３】
ステップ４は、上記１頁送りを完了した後、送りペダル１２０が踏動開放され、駆動軸５０が回転体６０によって自動で右回転へ（回転体バネＡ６３Ａの弾発力により）復帰される途中の経過状態図であるが、（Ａ）の送り回転子３０も回転子バネ４０の弾発力によって同じく右回転へ自動復帰される途中の経過状態図である。このとき送り回転子３０は（Ｄ）のページ捲り内部状態図（譜面台裏側から視図）にあるようにページ捲り回転子１０Ａの斜面Ｂ１３（下面）に自動で螺旋摺接下降の途中である。（駆動軸５０も追動中）
【００５４】
ステップ５は、上記１頁送りが完全復帰完了し、（Ｄ）のページ捲り内部状態図の如く送り回転子３０が次頁（下部）であるページ捲り回転子１０Ｂへ配置されている図である。ところで、（Ｃ）のページ捲り回転子状態図はページ捲り回転子１０Ａが表示されているが、この送り回転子３０は下部に位置するページ捲り回転子１０Ｂに位置している。尚、（Ｂ）の戻し回転子２０は回転せずそのまま下降してページ捲り回転子１０Ａに配置されている。以上が頁送りの主要動作である。
【００５５】
次に上記によって送られた頁が戻される動作を、各図及び図１６の作動原理図２をもって説明する。
【００５６】
原則的には上記送り頁作動の逆原理である。上記の如く既に捲られている頁が存在している場合、戻しペダル１２１を一回踏動すると、ペダル回転プレート９０が上記ページ送り作動とは逆に左回転（図１０（ｂ）の破線矢印方向）し、戻しワイヤー８２が牽引され、図９（ｃ）の回転体６０が図中の破線矢印方向右（時計回り、以下同じ）へ半回転される。
【００５７】
上記回転体６０が右へ半回転すると、この回転体６０に軸通されている駆動軸５０が同じく右へ半回転され、同駆動軸５０に固着されている図６（ｂ）のレバーＡ５１、レバーＢ５２も同じく右へ半回転される。
【００５８】
上記レバーＡ５１,レバーＢ５２が右へ半回転すると、上記頁送り作動と同様に戻し回転子２０も、同レバーＡ５１により同じく右へ半回転する。これに対して下に位置する送り回転子３０（戻し回転子２０と同形、但し倒置）は上記頁送り同様（図６（a）、図１５参照）、同心円上に半径の異なった半円同士の空洞を有するため、レバーＢ５２が右へ半回転しても大きい半円空洞側内のため、レバーＢ５２は空転し、送り回転子３０は回転しない（後述、図１６の作動原理図２のステップ２、３の（Ａ）項記載）
【００５９】
上記戻し回転子２０が右へ半回転すると、図６（a）の同戻し回転子２０の摺動凸設Ａ２１上部の傾斜無し部（送り回転子３０とは倒置配置）が、図４（ｂ）のページ捲り回転子１０Ａ内に有するスリット１４部にある螺旋状斜面Ｂ１３斜面鋭角の始まり（エッジ）に係合して同ページ捲り回転子１０Ａを右へ半回転させ（図７（ａ）の実線方向、但し図を倒置）、１頁が戻される。（後述の図１６作動原理図２ステップ１から３記載）
【００６０】
上記、１頁が戻された後、戻しペダル１２１から足を踏動開放すると、バネ１０１によって同ペダル１２１とペダル回転プレート９０が定置復帰し、これにより戻しワイヤー８２が復帰する。（図１０（ｂ）の実線矢印方向）
【００６１】
また同時に、図９の回転体６０も上記ワイヤー復帰作動と共に、回転体バネＢ６３Ｂの弾発力により同回転体６０が左へ半回転し復帰する。（図９（ｃ）実線矢印方向）
【００６２】
上記、回転体６０復帰により駆動軸５０も同様に左へ半回転し復帰する。この時、同時に戻し回転子２０が図６（a）の回転子バネ４０の弾発力によって同様に左へ半回転し復帰するが、上記頁送り作動とは逆に、ページ捲り回転子１０Ａ内の螺旋状の斜面Ａ１２（上面）を摺動凸設Ａ２１の下部（斜面有り部）が摺接上昇移動（図７（ａ）の図を倒置しての破線矢印方向参照）しながら半回転し（後述の図１６作動原理図２のステップ４）、復帰完了時は上方に位置する最上部ページ捲り上部１１Ａ内のスリット１４内に定置され、最初のスタンバイ状態となる。（後述の図１６作動原理図２ステップ５）
【００６３】
また、最上部であるページ捲り上部１１Ａ（ページ捲り下部１１Ｂと同形状）においても、図５（ｂ）の如く斜面Ａ（上面）を有しないため、戻しペダル１２１を踏動しても、戻し回転子２０は上方へ摺動せず、当該ページ捲り上部１１Ａを右回転させるが、再び戻り空転させるのみである。
【００６４】
また、回転子バネ４０の弾発力による摺動凸設Ａ２１の次頁への摺接上昇移動は、上記頁送り作動と同様な原理により、ページ捲り回転子１０Ａの回転による斜面Ａ１２の位置と、上部にあるページ捲り上部１１Ａの斜面Ｂ１３との関係によって、回転子バネ４０の他端係止（反動係止）及び、この回転から生じる間隙により上方へ螺旋摺動移動可能できる。（後述、図１６の作動原理図２ステップ４）
【００６５】
また、駆動軸５０の動きは戻し回転子２０が上記の螺旋摺動移動(上昇)するが、上記送り作動と同様、駆動軸５０に挟込されている止め輪Ａ５４，止め輪Ｂ５５によって駆動軸５０と共に上方へ移動する。また、駆動軸５０の他端上方にも固着されている駆動軸リブ５３部も同様に、回転体６０の遊貫孔を上方へページ捲り回転子１０ひとつ分摺動する。
以上戻しペダル１２１を踏動する事により、頁戻しがされ完了する。
【００６６】
次に図１６の作動原理図２の概略説明を行う。
同図は頁戻し作動の原理図であり、前記図１５の頁送り作動原理図のステップ５の待機状態からの頁戻しとする。
【００６７】
ステップ１は、１頁の捲りが完了している待機状態である。
【００６８】
ステップ２は、上記待機状態から戻しペダル１２１が半分踏動されている１頁戻し途中の経過状態図である。駆動軸５０が１／４右回転（時計回り）し、それにより（Ｂ）の戻し回転子２０による（Ｃ）のページ捲り回転子１０Ａが１／４回転している。
【００６９】
ステップ３は、上記戻しペダル１２１の踏動が完了し、駆動軸５０が待機状態から１／２右回転を完了し、戻し回転子２０による（Ｃ）ページ捲り回転子１０Ａが１頁戻りを完了した状態図である。尚、（Ａ）の送り回転子３０は図の如くレバーＢ５２の空転のため不回転であることに注意。
【００７０】
ステップ４は、上記１頁戻りを完了した後、戻しペダル１２１が踏動開放され、駆動軸５０が回転体６０によって左回転へ（回転体バネＢ６３Ｂの弾発力により）自動復帰される途中の経過状態図であるが、（Ｂ）の戻し回転子２０も前記作動原理図１と同原理で、戻し回転子２０も回転子バネ４０の弾発力によって同じく左回転へ自動復帰される途中の経過状態図である。このとき戻し回転子２０は（Ｄ）のページ捲り内部状態図（譜面台裏面からの視図）にあるようにページ捲り回転子１０Ａの斜面Ａ１２（図４（a）参照）に自動で螺旋摺接上昇の途中である。（駆動軸５０も追動中）
【００７１】
ステップ５は、上記１頁戻しが完全完了し、（Ｄ）のページ捲り内部状態図の如く、戻し回転子２０がページ捲り上部１１Ａへ配置されている図である。ところで、（Ｃ）のページ捲り回転子状態図ではページ捲り回転子１０Ａが表示されているが、この戻し回転子２０は上部に位置するページ捲り上部１１Ａに位置している。  尚、（Ａ）の送り回転子３０は回転せずそのまま上昇してページ捲り回転子１０Ａに配置される。以上、再び図１５の作動原理図１のステップ１の待機状態にもどる。
以上が頁戻しの主要動作である。
【００７２】
なを、上記説明及び図は理解簡略化のため、実際の頁捲り時のページ捲り回転子１０及び装着ページアーム１５を、傾倒考慮無しである回動角度１８０度で説明している。以下実際のページ捲り回転子１０の作動内容を説明する。（実際使用例図は図１７参照）
【００７３】
譜面３を譜面台本体１に載置し、ページを捲る時、図１７（ａ−１）の如くページめくり回転子１０は譜面台本体１の下部に配置されるため、クリップ１７が譜面３を挟入状態時、ページアーム１５が水平ではなく、やや斜め上方に傾倒する。そして、頁が捲られた後、同じく、ページアーム１５が水平ではなく、やや斜め上方に傾倒する（同図（ａ−２）、破線部は次頁のページアームを表わす）。そしてこれら回動角度（鈍角）の傾倒において、斜面Ａ１２と斜面Ｂ１３を、図１7（ｂ−１）から（ｂ−２）への如く、ページアーム１５の傾倒に合わせ斜面Ａ１２及び斜面Ｂ１３（斜面Ａ１２の裏面対称）を図内矢印方向へ短くする。これによってページ捲り回転子１０が傾倒角度（鈍角）でストップしても図６、図７の摺動凸設Ａ２１、及び摺動凸設Ｂ３１は次の各ページ捲り回転子１０の所定スリット１４内に摺動挿入され、各ページめくり回転子１０を回動させる準備となる。
【００７４】
また、ページアーム１５は頁装着時、次頁分のクリップ１７の幅分だけ順次延長されるので、理論上、ページアーム１５が順次鈍角方向へ傾倒し、各ページ捲り回転子１０内のスリット１４の角度位置がずれていく。この対処には斜面Ａ１２と斜面Ｂ１３を各頁ごと上記同様に変更する方法もあるが、しかし、この傾倒は些少角度であるので、スリット１４内に摺動凸設Ａ２１及び、摺動凸設Ｂ３１が挿入していく間隙をやや大きめにし、ずれを吸収する方法もある。
【００７５】
以上の各部品構成及び作動原理による一連動作の概略を説明する。
先ず図１の如く、任意の譜面３を譜面台本体１に載置し、演奏する譜面左側頁部を図１１の如く，譜面台左側の譜面固定クリップ板Ａ１４１Ａに挟着する。同じく譜面右側頁部を譜面固定クリップ板Ｂ１４１Ｂに挟着し譜面３を固定する。
【００７６】
次に同譜面右側頁部の任意の捲る各ページを図１１の如く、ページクリップ１７に順次挟着する。尚、このページクリップ１７はページを挟める構造で、ページアーム１５に固着可能であれば何でもよい。（図１１では既製品差込型クリップの使用例）。
【００７７】
また、譜面頁が捲られる作動時のアームの固定だけでなく、振動や風、または譜面、書籍などの綴じ癖などの固定が必要である。このため、図１８（ａ）（ｂ）の如くページ捲り回転子１０にページ固定カム１８０を有し、ページ捲り回転子保持具１９に具備された板バネ１８１の弾発力により、前記ページ固定カム１８０の形状によってページ捲り回転子１０が図１８（ａ−１）と（ａ−３）の如く回動傾倒後、定位置に固定される。
【００７８】
また、上記以外、別のアームの固定方法として、図１９の如くページ捲り回転子１０に凹固定部１９０を有し、ページ捲り回転子保持具１９に具備されたボール部１９１が、ボールバネ１９２によって前記凹固定部１９０へ嵌入される。そしてページ捲り回転子１０が図１９（ａ−１）と（ａ−３）の如く回動傾倒後、定位置に固定される。尚、ボール部１９１において、ボールでなくとも凹部固定部１９０に嵌入する凸部状であればよい。
【００７９】
また、上記以外、さらに別のアームの固定方法として、上記ページクリップ１７の上下には図１１の如く磁性体１４３が装着され、頁が捲られる時、図１のページ捲り回転子１０が回転し、ページアーム１５とページクリップ１７が左側譜面部の譜面固定クリップ板Ａ１４１Ａに傾倒され、前記磁性体１４３がこの譜面固定クリップ板Ａ１４１Ａに吸着固定され譜面頁が安定する。また、頁が戻される場合も、同様にページアーム１５とページクリップ１７が右側譜面部の譜面固定クリップ板Ｂ１４１Ｂに傾倒され、前記磁性体１４３が譜面固定クリップ板Ｂ１４１Ｂに吸着固定され譜面頁が安定する。
【００８０】
尚、磁性体１４３の装着は上記各ページクリップ１７でなくとも、各ページアーム１５の上下面（図１１の（１４３））に装着し、アーム固定クリップ板Ａ１４１Ａ、及びアーム固定クリップ板Ｂ１４１Ｂに吸着固定できるようにしてもよい。
【００８１】
以上で譜面台本体１へ譜面３の載置が完了し演奏開始する。演奏中、頁を捲る場合、足元近傍へ任意に置いた図１の送りペダル１２０を踏動すると、ペダルボックス１００内のペダル回転プレート９０が、送りワイヤー８１を牽引し、譜面台本体１の下部に設置された駆動部ボックス７０内の回転体６０を回転させる。
【００８２】
上記回転体６０が回転すると、同回転体６０に軸通されている駆動軸５０が回転し、図６（ａ）の送り回転子３０を回転さる。そして、この送り回転子３０により、１頁目のページ捲り回転子１０Ａが回転し、上記ページクリップ１７に挟着された１頁目が捲られ頁送りがされる。
（内部詳細動作は上記作動原理図１にて説明）
【００８３】
１頁目が送られた後、送りペダル１２０を踏動開放すると、送りワイヤー８１がペダルバネ１０１によって復帰し、上記回転体６０と駆動軸５０も回転体バネＡ６３Ａにより復帰する。そして、送り回転子３０も回転子バネ４０により復帰する。この時、駆動軸５０と共に送り回転子３０は同時に、直下（譜面台下方）に位置する次のページ捲り回転子１０Ｂ内へ、前記回転子バネ４０の復帰弾発力と、１頁目であるページ捲り回転子１０Ａの構造により自動で移動する。そして、次頁の送り、または戻しのスタンバイ状態になる。（内部詳細動作は上記作動原理図１にて説明）
【００８４】
次に、送った頁を戻す場合であるが、原則的に上記送りと逆作動である。足元近傍にある戻しペダル１２１を踏動すると、ペダルボックス１００内のペダル回転プレート９０が、戻しワイヤー８２を牽引し、図９（ａ）の回転体６０、駆動軸５０が、戻し回転子２０を逆回転し、上記捲られていたページ捲り回転子１０Ａが戻される。（内部詳細動作は上記作動原理図２にて説明）
【００８５】
１頁目が戻された後、図１の戻しペダル１２１を踏動開放すると、戻しワイヤー８２がペダルバネ１０１にて復帰し、上記送り作動と同様に回転体６０と駆動軸５０が回転体バネＢ６３Ｂにより復帰する。そして送り回転子３０も回転子バネ４０により復帰する。この時、駆動軸５０と共に戻し回転子２０は同時に、送り作動とは逆に直上（譜面台上方）に位置するページ捲り回転子１０Ａ内へ、前記回転子バネ４０の弾発力と、２頁目であるページ捲り回転子１０Ｂの構造により自動で移動する。そして次頁の戻し、または送りのスタンバイ状態になる。（内部詳細動作は上記作動原理図２にて説明）
以上で実施例１における頁の送り戻し動作が完了する。
【実施例２】
【００８６】
実施例１では、図１の足元近傍に任意に置いたペダル部８０のペダル踏動にて、ワイヤーを牽引して図９の回転体６０を回動させ、ページの送り戻しを行うが、別の解決手段として、図２の如く、フットスイッチ１５０により図１３の駆動モーター１６０を作動させ、頁の送り戻しを行うものである。以下詳細説明する。
【００８７】
当実施例２の部品構成は図１３の如く駆動ボックス７０内に、駆動モーター１６０とモーター用回転体１６６とを駆動ベルト１６１で巻架し、前記モーター用回転体１６６にはカム１６４が凸設してあり、このカム１６４に当接するリミットスイッチ１６５が設置されている。また、前記駆動モーター１６０を駆動させる電源部１６２には電池収容スペースを有してもよく、また電源をＡＣ／ＤＣアダプター１５４にてＡＣ／ＤＣ共用可能にしたものである。また制御部１６３は駆動モーター１６０を制御する。足元近傍には信号ケーブル１５３にて接続されたフットスイッチ１５０を任意の場所に配置する。
【００８８】
以上の各部品構成よる実施例２の一連動作の概略を説明する。
先ず頁送りする場合、譜面３を実施例１同様に載置準備した後、図２の如く，足元近傍のフットスイッチ１５０の送りフットスイッチ１５１を足などで押動すると、図１３の駆動モーター１６０が回転し、この駆動モーター１６０に巻架されている駆動ベルト１６１がモーター用回転体１６６を左回転（譜面台下から見たとき反時計周り、以下同じ）させる。そして、このモーター用回転体１６６に遊貫されている駆動軸５０を実施例１の頁送り作動同様、左回転させページ捲り回転子１０を同じく左回転させ、頁が送られる。
【００８９】
そして上記モーター用回転体１６６が左回転された時（頁捲りされた時）、同モーター用回転体１６６に凸設してあるカム１６４がリミットスイッチ１６５に当接し、前記駆動モーター１６０を停止させる。これは，実施例１における送りワイヤー８２が回転体６０を牽引し、ページ捲り回転子１０の１頁送り直後と同じ状態である。
【００９０】
次からの動作は、実施例１による送り作動後と同様であり、図１３、図９（ｂ）の回転体バネＡ６３Ａの弾発力により、上記回転体６０及びモーター用回転体１６６が右へ自動逆回転復帰し、駆動軸５０が実施例１の図１５作動原理１により回転復帰しながら、下方へ摺動移動し、１頁送りが完了し次の待機状態となる。
【００９１】
次に上記待機状態から頁戻しする場合、原則的に上記送りと逆作動である。図２のフットスイッチ１５０の戻しフットスイッチ１５２を押動すると、図１３の駆動モーター１６０が回転（送りとは逆回転）し、上記送り同様、駆動ベルト１６１がモーター用回転体１６６を右回転させる。そして、このモーター用回転体１６６に遊貫されている駆動軸５０を右回転させ、ページ捲り回転子１０を回転させ頁が戻る。この時、カム１６４がリミットスイッチ１６５に当接し、駆動モーター１６０を停止させる。以下、実施例１による戻し作動と同様に、図１３、図９（ｂ）の回転体バネＢ６３Ｂの弾発力により回転体６０が左へ自動逆回転し、駆動軸５０が実施例１の図１６作動原理２により回転復帰しながら上方へ摺動移動し、１頁戻りが完了し、次の待機状態となる。以上が頁送り戻し動作である。
【００９２】
なお、当モーター仕様において、回転体バネＡ６３Ａ及び回転体バネＢ６３Ｂの代わりに駆動モーター１６０による回転に変えても良い。
【００９３】
なを、当モーター用回転体１６６は実施例１の回転体６０と同回転とするため、同回転体６０と一体化構造にして実施例１と共用可能構造でもよい。
【００９４】
又、実施例1タイプから実施例２のタイプへ仕様変更する場合は、送りワイヤー８１、戻しワイヤー８２、ペダル部８０を具設せず、上記実施例２の部品のみを具設すればよい。
【００９５】
また、リミットスイッチ１６５を、カム１６４と当接しない非接触であるフォトセンサーに代えてもよい。
【００９６】
実施例１及び２において、ページ捲り機構部は共通であるので、図１３の駆動部ボックス７０内に実施例２であるモーター仕様の配置スペースを考慮すれば、一つの筐体タイプで共用可能である。
【実施例３】
【００９７】
また上記フットスイッチ１５０において、信号ケーブル１５３を、他の当該ページ捲り譜面台のフットスイッチ１５０と並列接続する事によって図２の（ｂ）の如く、複数台同時動作もできる。
【実施例４】
【００９８】
また上記フットスイッチ１５０部を赤外線又は電波送受信機構に代えた場合、無線方式スイッチ１５０Ａとし、図１３の制御部１６３に赤外線又は電波送受信機構を設け、有線である信号ケーブル１５３を不要にし、無線方式にすれば図２の（ｃ）の如く、複数台同時動作でき、また、無線方式仕様であるため、演奏当事者に限らず、前記無線方式スイッチ１５０Ａの遠隔操作で頁捲りが可能である。
【実施例５】
【００９９】
また本ページ捲り装置と譜面台本体１を一体とした、ページ捲り譜面台を譜面台脚２から外す事により、前記ページ捲り譜面台の載置場所は限定せず、任意の場所や鍵盤楽器に載置でき、任意で頁の送り戻しが自動にできる。図３は実施例１、２におけるページ捲り譜面台を譜面台脚２から取り外し、鍵盤楽器の譜面台立てに載置したものである。
鍵盤楽器など譜面台脚使用不可の場合でも載置でき、頁の送り戻しは、ペダル部８０、フットスイッチ１５０、無線方式フットスイッチ１５０Ａのいずれ方式でも、手を使わずに頁の送り戻しを自在に捲ることができる。
【０１００】
また、この鍵盤楽器載置場合、図３（ａ）はページアーム１０群が下方にある載置方法の場合である。
図１２（ａ）は、ページアーム１０群が鍵盤操作の邪魔しないように，譜面台本体１の裏面に装着された譜面台スライドスタンド板Ａ１７０Ａの固定ねじ１７１を緩め、同譜面台スライドスタンド板Ａ１７０Ａを下方へスライドさせ固定し、鍵盤楽器に載置したものである。
【０１０１】
図３（ｂ）の載置図は、別の載置方法として、ページアーム１０群が上方にある当譜面台を倒置させたものである。
この場合、図１２（ｂ）の如く当該譜面台を倒置させ、譜面３の低部を安定させるため、上記譜面台スライドスタンド板Ａ１７０Ａの固定ねじ１７１を緩め、同譜面台スライドスタンド板Ａ１７０Ａを譜面３の大きさに合わせ下方へスライドさせ（上記図（ａ）とは逆スライド）、譜面載板Ａ１７２Ａを起立させ譜面３の低部を載せる。但しこの場合、本ページ捲り装置を倒置して使用するため、考え方として上記実施例１、２の頁の送りと戻しの操作及び、動作が逆になるが、使用に関してはなんら変わることは無い。
【０１０２】
また、上記図１２（ａ）（ｂ）のスライド式譜面台の固定以外に、図１２（ａ−１），（ｂ−１）の如く開閉式譜面台の固定である譜面台開閉スタンド板Ｂ１７０Ｂと譜面載板Ｂ１７２Ｂにしても良い。
【符号の説明】
【０１０３】
１．譜面台本体 
２．譜面台脚  
３．譜面
１０．（１０Ａ，１０Ｂ，１０Ｃ）ページ捲り回転子   
１１Ａ．ページ捲り上部       
１１Ｂ．ページ捲り下部       
１２．斜面Ａ  
１３．斜面Ｂ  
１４．スリット 
１５．ページアーム   
１６．アーム固定部   
１６Ａ．固定ネジ     
１７．クリップ 
１８Ａ．回転ストッパーＡ     
１８Ｂ．回転ストッパーＢ     
１９・ページ捲り回転子保持具
２０．戻し回転子     
２１．摺動凸設Ａ     
２２Ａ．回転子上部蓋 
２２Ｂ．回転子下部蓋
３０．送り回転子     
３１．摺動凸設Ｂ     
３３．スペーサーＡ   
３４．スペーサーＢ   
４０．回転子バネ     
５０．駆動軸  
５１．レバーＡ 
５２．レバーＢ 
５３．駆動軸リブ     
５４Ａ．止め輪Ａ     
５４Ｂ．止め輪Ｂ     
６０．回転体  
６１．ワイヤー止Ａ   
６２．ワイヤー止Ｂ   
６３Ａ．回転体バネＡ 
６３Ｂ．回転体バネＢ 
６５．バネ止Ａ 
６６．バネ止Ｂ 
６７．バネ止ａ
６８．バネ止ｂ
７０．駆動部ボックス
７１．保持板Ａ
７２．保持板Ｂ
８０．ペダル部
８１．送りワイヤー  
８２．戻しワイヤー
９０．ペダル回転プレート
１００．ペダルボックス
１０１．ペダルバネ
１０２．バネレバー
１１０．ペダル軸
１２０．送りペダル
１２１．戻しペダル
１３０．ペダル台
１４１Ａ．譜面固定板Ａ
１４１Ｂ．譜面固定板Ｂ
１４３．磁性体
１５０．フットスイッチ
１５０Ａ.無線方式フットスイッチ
１５１．送りフットスイッチ
１５２．戻しフットスイッチ
１５３．信号ケーブル 
１５４．ＡＣ／ＤＣアダプター 
１６０．駆動モーター  
１６１．駆動ベルト   
１６２．電源部(電池収容可も含む)    
１６３．制御部 
１６４．カム  
１６５．リミットスイッチ     
１６６．モーター用回転体     
１７０Ａ．譜面台スライドスタンド板Ａ       
１７０Ｂ．譜面台開閉スタンド板Ｂ           
１７１．固定ねじ
１７２Ａ．譜面載板Ａ
１７２Ｂ・譜面載板Ｂ
１８０．ページ固定カム
１８１．板バネ
１９０．凹固定部
１９１．ボール部
１９２．ボールバネ
【図１】
2010247531.tif 000003
【図２】
2010247531.tif 000004
【図３】
2010247531.tif 000005
【図４】
2010247531.tif 000006
【図５】
2010247531.tif 000007
【図６】
2010247531.tif 000008
【図７】
2010247531.tif 000009
【図８】
2010247531.tif 000010
【図９】
2010247531.tif 000011
【図１０】
2010247531.tif 000012
【図１１】
2010247531.tif 000013
【図１２】
2010247531.tif 000014
【図１３】
2010247531.tif 000015
【図１４】
2010247531.tif 000016
【図１５】
2010247531.tif 000017
【図１６】
2010247531.tif 000018
【図１７】
2010247531.tif 000019
【図１８】
2010247531.tif 000020
【図１９】
2010247531.tif 000021